(57)【要約】【課題】着脱が簡単で、光電子部品と光ファイバコネクタとを安定的な接続を可能とする接続保持具を提供する。【解決手段】光モジュール１４のレセプタクル２６のフランジ２６ａよりも先端部２６ｂをホルダ本体１８のＵ字孔１８ｆに沿わせ、アダプタ２０のレセプタクル挿入孔２０ｃを介してコネクタ挿入孔２０ｂの一端に挿入し、光ファイバコネクタ１６をアダプタ２０のコネクタ挿入孔２０ｂの他端から挿入し、アダプタ２０のコネクタ挿入孔２０ｂの内周の一部に形成された保持片２０ｄと光ファイバコネクタ１６のコネクタ本体１６ａの外周部分に設けられた係合溝１６ｄとにより着脱自在に係止する。【選択図】図２
2009020236.tif 000002
【特許請求の範囲】
【請求項１】
一つの平らな第１の主面、この第１の主面の一部に第１の主面から内部に向かって形成され上記第１の主面に沿った底面を有し所定の光電子部品のレセプタクルのフランジの厚みを越える深さと上記フランジの幅を超える溝幅とを有しかつ上記第１の主面と交差する一つの側面を貫通する溝、及びこの溝の底部を上記底面において貫通し、上記側面から開口され上記溝の延長方向の途中まで溝に沿って延在し上記フランジを上記側面から上記溝の底面に沿わせて所定の位置まで溝の延長方向に挿入可能とするとともにレセプタクルを所定の位置に位置決めする第１の切欠きを有する保持部材と、
この保持部材の第１の主面に対向する接続面、この接続面に直交する中心軸を有し所定の光ファイバコネクタの外周面の形状に対応した内周面を有するとともに上記第１の切欠きに対応して上記中心軸の位置が定められた貫通孔、この貫通孔の上記中心軸に沿って上記接続面から開口され上記レセプタクルのフランジよりも先端部分を上記貫通孔の中心軸に交差する方向から上記貫通孔に挿入可能とする第２の切欠き、および上記貫通孔に挿入される光ファイバコネクタを着脱自在に係止するとともに光ファイバコネクタと光電子部品とがともに上記貫通孔に装着された際に光ファイバコネクタ内部に装着されている弾性体により光ファイバコネクタのフェルールの先端面を上記レセプタクル内に配設される光電子部品側のフェルールの先端面に所定の接触圧により押圧可能にする保持手段を有する接続部材と、
を備えた接続保持具。
【請求項２】
保持部材と接続部材とが別体で形成されるとともに保持部材と接続部材とを固定する固定手段を更に備えたことを特徴とする請求項１記載の接続保持具。
【請求項３】
保持部材と接続部材とが第１の主面と接続面とを介して一体的に形成されたことを特徴とする請求項１記載の接続保持具。
【請求項４】
光ファイバコネクタがＬＣタイプ或いはＳＣタイプ或いはＭＵタイプであることを特徴とした請求項１乃至３のいずれか１項に記載の接続保持具。
【請求項５】
請求項１ないし４のいずれか１項に記載の接続保持具と、
この接続保持具の保持部材の第１の切欠きに沿わせ接続部材の第２の切欠きを介して貫通孔の一端にレセプタクルのフランジよりも先端部分が挿入された光電子部品と、
接続部材の貫通孔の他端から挿入され保持手段により係止されるとともにフェルールの端面が光電子部品側のフェルールの先端面を所定の接触圧により押圧する光ファイバコネクタと、
を備えた光ファイバコネクタと光電子部品との接続構造。
【発明の詳細な説明】
【技術分野】
【０００１】
この発明は接続保持具ならびにこの接続保持具を用いた光ファイバコネクタと光電子部品との接続構造に係り、特に光送受信機に搭載されるレセプタクル型の光電子部品と光ファイバコネクタとを接続する接続保持具ならびにこの接続保持具を用いた光ファイバコネクタと光電子部品との接続構造に関する。
【背景技術】
【０００２】
近年の光送受信機ではプラガブル型接続構造が一般的である。プラガブル型接続構造においては、光送受信機の接続部に光コネクタを直接挿入しフェルール同士を押しつけた状態、すなわちPC（physical contact）接触が確保され、この状態が保持される構造になっている。
光コネクタの接続構造や光接続用ホルダに関しては次のような公知例がある。
光ファイバ通信に使用される光コネクタには様々な種類の光コネクタが存在しているので、異種光コネクタ同士の接続には異種コネクタ変換アダプタが使用される。従来通信装置の取り付け金具にアダプタがねじ止め固定されていたので、外部からの光コネクタが異なるタイプである時には、その外部光コネクタにあったアダプタを装置に固定する必要があった。これが煩わしい作業であるので接続すべき外部光コネクタに応じてアダプタを容易に交換可能な通信装置の光コネクタ接続構造が記載されている。
【０００３】
この光コネクタ接続構造は次のような構成である。ホルダは一対の保持片とゲート部材を有している。このホルダは例えばリベット等によりプリント配線基板に固定される。SCコネクタである第１光コネクタを上方からホルダの保持片の間に押し込むと第１光コネクタは保持片の弾性により保持される。アダプタは例えばSCコネクタをFCコネクタに変換するアダプタで、SCハウジングとこのSCハウジングの反対側のFCハウジングとを有し、アダプタの切欠きが第１光コネクタの突起に嵌合し、アダプタがSCハウジングを介して第１光コネクタに装着される。FCコネクタである第２光コネクタはアダプタのFCハウジングに挿入され、アダプタに装着される。これにより第１光コネクタのフェルールと第２光コネクタのフェルールとが当接し、両フェルール内の光ファイバ同士が接続される（例えば、特許文献１、段落番号［０００４］〜［０００８］、［００２０］〜［００２７］、及び図１〜図５参照）。
【０００４】
またもう一つの光コネクタの結合構造の公知例は、FPC（Fiber Physical Contact）型光ファイバコネクタにおいて光ファイバや光導波路端面などの付き合わせ面同士を対向させた状態で適当な荷重で突き当てておくために、ロックバネを用いて嵌合したハウジング同士を嵌合方向に押圧し、かつ外力に対してその嵌合を保持する構造を開示している。例えば、特許文献２、段落番号［０００９］〜［００１２］、及び図１参照参照）
【０００５】
【特許文献１】特開２０００−５６１７７号公報
【特許文献２】特開平１０−２２１５５９号公報
【発明の開示】
【発明が解決しようとする課題】
【０００６】
通常、光ファイバコネクタのフェルールは軸方向に移動可能な摺動片に支持され、この摺動片の背後に弾性体、例えばコイルばね等が配設されている。二つの光ファイバコネクタが接続されるとコイルばねによりフェルールが背後から押され、接触する相互のフェルールの端面が所定の接触圧の下で押圧され、光ファイバコネクタの互いの係合片により、相互の接触圧が確保され、PC接続が実現する。
しかしながら光送受信機の製造現場や試験を行う場合には、レセプタクル型の光電子部品を単体で扱う場合がある。例えば光送受信機に搭載されるレセプタクル型光モジュールの場合、光モジュール単体と光ファイバコネクタとの接続を行ったとしても、光モジュール単体は光ファイバコネクタを係止する機構を備えていない。
このために光モジュール単体のレセプタクルの一部を光ファイバコネクタの先端に単に挿入しただけの状態で、例えば接続状態の試験などを行わなければならない場合があった。
このような状態は単にファイバーフェルールを挿入しているだけとなり、接続中に光ファイバが動いたり、温度試験でモジュールが変動したりする。このためフェルール相互の接触状態が不安定で、安定してＰＣ接触が確保できず、試験のデータがばらついたり、正確な測定ができないなど、様々な支障を来す場合があるという問題点があった。
【０００７】
この発明は上記の問題点を解決するためになされたもので、第１の目的は光電子部品のレセプタクルと光ファイバコネクタとの着脱が簡単で、光電子部品と光ファイバコネクタとの安定的な接続を可能とする接続保持具を提供することであり、第２の目的は、レセプタクル型の電子部品と光ファイバコネクタとを安定的にＰＣ接触が可能な接続構造を提供することである。
【課題を解決するための手段】
【０００８】
この発明に係る接続保持具は、一つの平らな第１の主面、この第１の主面の一部に第１の主面から内部に向かって形成され第１の主面に沿った底面を有し所定の光電子部品のレセプタクルのフランジの厚みを越える深さとフランジの幅を超える溝幅とを有しかつ第１の主面と交差する一つの側面を貫通する溝、及びこの溝の底部を底面において貫通し、側面から開口され溝の延長方向の途中まで溝に沿って延在しフランジを側面から溝の底面に沿わせて所定の位置まで溝の延長方向に挿入可能とするとともにレセプタクルを所定の位置に位置決めする第１の切欠きを有する保持部材と、この保持部材の第１の主面に対向する接続面、この接続面に直交する中心軸を有し所定の光ファイバコネクタの外周面の形状に対応した内周面を有するとともに第１の切欠きに対応して中心軸の位置が定められた貫通孔、この貫通孔の中心軸に沿って接続面から開口されレセプタクルのフランジよりも先端部分を貫通孔の中心軸に交差する方向から貫通孔に挿入可能とする第２の切欠き、および貫通孔に挿入される光ファイバコネクタを着脱自在に係止するとともに光ファイバコネクタと光電子部品とがともに貫通孔に装着された際に光ファイバコネクタ内部に装着されている弾性体により光ファイバコネクタのフェルールの先端面をレセプタクル内に配設される光電子部品側のフェルールの先端面に所定の接触圧により押圧可能にする保持手段を有する接続部材と、を備えたものである。
【発明の効果】
【０００９】
この発明に係る接続保持具においては、光電子部品のレセプタクルのフランジよりも先端部分を保持部材の第１の切欠きに沿わせ接続部材の第２の切欠きを介して貫通孔の一端に挿入し、光ファイバコネクタをアダプタの貫通孔の他端から挿入し保持手段により係止するという簡単な装着方法により光電子部品のレセプタクルと光ファイバコネクタとの着脱が簡単に行うことができ、光電子部品と光ファイバコネクタとの安定的な接続を確保することができる。
【発明を実施するための最良の形態】
【００１０】
以下の実施の形態においては、光電子部品としてＬＤを用いた光モジュールを一例として説明するが、かならずしもＬＤを用いた光モジュールに限らない。
実施の形態１．
図１は、この発明の一実施の形態に係る光モジュールと光ファイバコネクタとの接続構造を示す模式図、図２は図１のＩＩ−ＩＩ断面における断面図である。
図１及び図２において、光モジュールと光ファイバコネクタとの接続構造１０は、接続保持具としてのホルダ１２と、電子部品としての光モジュール１４と光ファイバコネクタ１６から構成されている。
またホルダ１２は、保持部材としてのホルダ本体１８、接続部材としてのアダプタ２０、ホルダ本体１８とアダプタ２０とを固定する固定手段としてのねじ構造２２とから構成されている。
なおねじ構造２２はホルダ本体１８に設けられたねじ穴２２ａとねじ２２ｂとから構成されている。
【００１１】
光モジュール１４は、図１および図２においては、ＬＤパッケージ（図示せず）の一部であるのレンズキャップ２４とレセプタクル２６とフェルール２８が描かれ、他の部分は省略されている。このレセプタクル２６はフランジ２６ａとフランジ２６ａより先端に位置する先端部２６ｂとフランジ２６ａに隣接する基部２６ｃとレンズキャップ２４に隣接する基部２６ｄにより構成されている。
レセプタクル２６は円筒状で内部にフェルール２８が収納され、レンズキャップ２４の先端に設けられたレンズ（図示せず）と接触している。またレセプタクル２６はＳＵＳで形成され、レンズキャップ２４と基部２６ｄとが溶接により接合されている。
光ファイバコネクタ１６は、コネクタ本体１６ａとこのコネクタ本体１６ａの内部に収納されたフェルール３０とこのフェルールを支持しコネクタ本体１６ａの内部において摺動可能にされた摺動片１６ｂと弾性体としてのばね１６ｃを備えている。
ばね１６ｃは光ファイバコネクタ１６と光モジュール１４とがホルダ１２に装着された時に、光モジュール１４のフェルール２８と光ファイバコネクタ１６のフェルール３０とに所定の接触圧を印加するように配設されている。
【００１２】
またコネクタ本体１６ａの外周部分に、光ファイバコネクタ１６がホルダ１２に装着された時に、アダプタ２０の対応部分と係合するための係合溝１６ｄが形成されている。
なお、光ファイバコネクタには様々なタイプがあり、例えばＬＣタイプ、ＳＣタイプ、或いはＭＵタイプがある。この実施の形態の光ファイバコネクタ１６はこれを模式的に表したものであるので、光ファイバコネクタ１６の形状は各タイプのものに応じて、また外周や、係合溝を含む係合機構や、ばねや摺動片を含む押圧機構などはそれぞれのタイプに応じて変化するものである。
またレセプタクルにおいても、光電子部品の種類により様々の形状に変化することは光ファイバコネクタの場合と同様である。
【００１３】
図３はこの発明の一実施の形態に係るホルダ本体の斜視図である。
図３において、ホルダ本体１８は金属、例えばＡｌ合金により形成され、正面部１８ａと側壁１８ｂとを有する。正面部１８ａは第１の主面としての内表面１８ｃを有し、側壁１８ｂは内表面１８ｃと直角をなして正面部１８ａの両側に配設されている。正面部１８ａに溝としてのＵ字溝１８ｅと第１の切欠きとしてのＵ字孔１８ｆを備えている。また側壁１８ｂそれぞれに２箇所ずつ、合計４箇所のねじ穴２２ａが設けられている。
【００１４】
図４は図３のＩＶ―ＩＶ断面におけるホルダ本体の断面を示す模式図、図５は図３の矢視Ｖのホルダ本体の正面を示す模式図である。
図４及び図５において、ホルダ本体１８のＵ字溝１８ｅは正面部１８ａの一つの側面１８ｄに開口を有し、正面部１８ａの内表面１８ｃに平行な底面１８ｇを有している。Ｕ字溝１８ｅの深さｈは、光モジュール１４のレセプタクル２６のフランジ２６ａの厚みよりも大きな寸法を有している。またＵ字溝１８ｅの溝幅ｗ１はフランジ２６ａの幅、例えばこの実施の形態ではフランジは円盤形状であるのでその直径よりも広い幅を有している。
またＵ字孔１８ｆは正面部１８ａの一つの側面１８ｄに開口を有し、Ｕ字溝１８ｅの底面１８ｇにおいて底部を貫通する孔である。
Ｕ字孔１８ｆの幅ｗ２は、このホルダ１２で結合される光モジュール１４のレセプタクル２６におけるフランジ２６ａに隣接する基部２６ｃの幅、例えばこの実施の形態のレセプタクル２６は円筒形状であるので基部２６ｃの直径よりも広い寸法に形成されている。
またＵ字孔１８ｆの最奥壁１８ｈの深さ、たとえばホルダ本体１８の上端から最奥壁１８までの距離ｔは光モジュール１４のレセプタクル２６のフランジ２６ａに隣接する基部２６ｃの断面形状、即ちレセプタクル２６の内部に配設されたフェルール２８の中心軸に直交する断面形状とレセプタクル２６の内部に配設されたフェルール２８の中心軸位置とから設定される。
【００１５】
この実施の形態では、レセプタクル２６のフランジ２６ａに隣接する基部２６ｃの形状は円筒形である。従ってその断面形状は円形である。そしてフェルール２８はレセプタクル２６の内部において、レセプタクル２６の外周円の中心に配設されているとして、Ｕ字孔１８ｆの最奥部の形状をレセプタクル２６の基部２６ｃの半円形状より僅かに大きい半円形状に設定している。これによりその半円中心Ｏにフェルール２８の中心軸がくるように設定できる。
さらにＵ字孔１８ｆの最奥壁１８ｈの深さを設定することにより、ホルダ本体１８にレセプタクル２６が保持された時のフェルール２８の中心軸位置が設定される。
なお正面部１８ａの下端の張出部１８ｉは正面部１８ａの曲げ剛性を高めるために板厚を厚くしたものである。
図６はこの発明の一実施の形態に係るアダプタの上面を示す模式図である。また図７は図６に示すアダプタのＶＩＩ―ＶＩＩ断面における模式図である。
図６及び図７において、アダプタ２０は樹脂モールドにより形成され、接続面としての取付面２０ａはアダプタ２０の基準となる平面である。
この取付面２０ａがホルダ本体１８の内表面１８ｃに密接され、ホルダ本体１８にアダプタ２０が取り付けられる。
【００１６】
貫通孔としてのコネクタ挿入孔２０ｂは、この取付面２０ａの法線に平行する中心軸Ｃを有する。このコネクタ挿入孔２０ｂの形状はこのアダプタ２０に接続される光ファイバコネクタ１６のコネクタ本体１６ａの外周形状に対応する形状に形成される。
例えばＬＣタイプ、ＳＣタイプ、或いはＭＵタイプの光ファイバコネクタ１６に対応するコネクタ本体と一致するようにコネクタ挿入孔２０ｂが形成される。
光ファイバコネクタ１６のコネクタ本体１６ａにおいて、フェルール３０の中心軸位置は所定の値に設定されており、またコネクタ本体１６ａの外周形状とコネクタ挿入孔２０ｂの内周形状とが対応した形状にある。従ってフェルール３０の中心軸位置はコネクタ挿入孔２０ｂの中心軸Ｃとも所定の関係を有している。
この実施の形態では、コネクタ本体１６ａの外周は円筒状であり、フェルール３０の中心軸位置がコネクタ本体１６ａの外周円筒の中心軸に一致するように設定されているので、フェルール３０の中心軸位置とコネクタ挿入孔２０ｂの中心軸Ｃとが概ね合致することになる。
【００１７】
次に、第２の切欠きとしてのレセプタクル挿入孔２０ｃが形成されている。
レセプタクル挿入孔２０ｃは、取付面２０ａに開口し、アダプタ２０の上面からコネクタ挿入孔２０ｂの中心軸Ｃに交差する方向、この実施の形態では直交する方向であるが、この方向にコネクタ挿入孔２０ｂに貫通している。
このレセプタクル挿入孔２０ｃには光モジュール１４のレセプタクル２６の先端部２６ｂがコネクタ挿入孔２０ｂの中心軸Ｃに直交する方向から挿入する必要がある。従ってコネクタ挿入孔２０ｂの長さはレセプタクル２６の先端部２６ｂの長さよりも長い寸法で、コネクタ挿入孔２０ｂの幅は、先端部２６ｂの幅、つまりこの実施の形態では直径よりも長い寸法になっている。
【００１８】
図７において、アダプタ２０のコネクタ挿入孔２０ｂの内周面の一部に、光ファイバコネクタ１６のコネクタ本体１６ａの外周面部分に設けられた係合溝１６ｄと係合して、光ファイバコネクタ１６を着脱自在に保持するとともに、コネクタ挿入孔２０ｂから光ファイバコネクタ１６が離脱することを防止するための保持手段として保持片２０ｄが配設されている。
更にホルダ本体１８の側壁１８ｂに設けられたねじ穴２２ａにねじ２２ｂを挿入することにより、アダプタ２０を固定し、ホルダ本体１８のＵ字孔１８ｆの最奥部の半円中心Ｏとアダプタ２０のコネクタ挿入孔２０の中心軸Ｃとが合致するように、ねじ留め用の段付き部２０ｅが形成されている。
この実施の形態においては、光ファイバコネクタ１６のコネクタ本体１６ａの外周面部分に係合溝１６ｄを設け、アダプタ２０のコネクタ挿入孔２０ｂの内周面の一部に保持片２０ｄを設けた係合機構を提示しているが、光ファイバコネクタ１６に対応してこの係合機構の構成が変わることはいうまでもないことである。
【００１９】
図８はこの発明の一実施の形態に係るホルダの断面を示す模式図である。
図８は光モジュールと光ファイバコネクタとの接続構造を示す図１のＩＩ−ＩＩ断面と同じ断面における模式図である。
図８においてホルダ１２は、ホルダ本体１８の内表面１８ｃに、アダプタ２０の取付面２０ａを密接し、ホルダ本体１８のＵ字孔１８ｆの最奥部の半円中心Ｏとアダプタ２０のコネクタ挿入孔２０の中心軸Ｃとを合わせ或いは所定の寸法に位置決めし、アダプタ２０の段付き部をねじ２２ｂで挟み込み固定している。これによりホルダ１２が形成される。
また固定手段はねじ構造２２に限らない。他の固定手段でもよい。
またホルダ本体１８とアダプタ２０とを内表面１８ｃおよび取付面２０ａを介して接着材により接着してもよい。
さらにホルダ１２とアダプタ２０とをモールド樹脂成形により一体的に成形加工してもよい。
【００２０】
次にホルダ１２を用いた光モジュールと光ファイバコネクタとの接続構造の接続方法について説明する。
図１および図２を参照して、ホルダ１２におけるホルダ本体１８の側面１８ｄからＵ字溝１８ｅの底面１８ｇに沿ってレセプタクル２６のフランジ２６ａを沿わせ、またレセプタクル２６の基部２６ｃをＵ字孔１８ｆに挿入し、レセプタクル２６の基部２６ｃをＵ字孔１８ｆの最奥壁１８に当接させる。この時レセプタクル２６の先端部２６ｂがレセプタクル挿入孔２０ｃを介して挿入孔２０ｂに装着される。
次にレセプタクル２６の先端部２６ｂが装着された側とは反対側の挿入孔２０ｂの一端から、光ファイバコネクタ１６のコネクタ本体１６ａを挿入する。
コネクタ本体１６ａの係合溝１６ｄがアダプタ２０のコネクタ挿入孔２０ｂの内周面の一部に設けられている保持片２０ｄと係合し、光ファイバコネクタ１６のコネクタ挿入孔２０ｂからの離脱が防止される。
一方コネクタ本体１６ａの係合溝１６ｄとコネクタ挿入孔２０ｂの保持片２０ｄとの係合位置は、光モジュール１４のフェルール２８の先端と光ファイバコネクタ１６のフェルール３０の先端とが接触しかつフェルール３０を支持する摺動片１６ｂがばね１６ｃを圧縮する状態を保つ位置に設定されている。このために光モジュール１４のフェルール２８と光ファイバコネクタ１６のフェルール３０とが所定の接触圧を印加されて、ＰＣ接触が確保されることになる。
したがってホルダ１２を用いて光ファイバコネクタ１６と光モジュール１４とを接続すると、相互のフェルール２８とフェルール３０とが所定の接触圧でＰＣ接触が簡単な接続動作によって確保され、例えば光モジュール１４の性能試験などを安定的に実施することができる。
【００２１】
以上のようにこの発明に係る接続保持具は、一つの平らな第１の主面、この第１の主面の一部に第１の主面から内部に向かって形成され第１の主面に沿った底面を有し所定の光電子部品のレセプタクルのフランジの厚みを越える深さとフランジの幅を超える溝幅とを有しかつ第１の主面と交差する一つの側面を貫通する溝、及びこの溝の底部を底面において貫通し、側面から開口され溝の延長方向の途中まで溝に沿って延在しフランジを側面から溝の底面に沿わせて所定の位置まで溝の延長方向に挿入可能とするとともにレセプタクルを所定の位置に位置決めする第１の切欠きを有する保持部材と、この保持部材の第１の主面に対向する接続面、この接続面に直交する中心軸を有し所定の光ファイバコネクタの外周面の形状に対応した内周面を有するとともに第１の切欠きに対応して中心軸の位置が定められた貫通孔、この貫通孔の中心軸に沿って接続面から開口されレセプタクルのフランジよりも先端部分を貫通孔の中心軸に交差する方向から貫通孔に挿入可能とする第２の切欠き、および貫通孔に挿入される光ファイバコネクタを着脱自在に係止するとともに光ファイバコネクタと光電子部品とがともに貫通孔に装着された際に光ファイバコネクタ内部に装着されている弾性体により光ファイバコネクタのフェルールの先端面をレセプタクル内に配設される光電子部品側のフェルールの先端面に所定の接触圧により押圧可能にする保持手段を有する接続部材と、を備えたものである。
この構成により、この発明に係る接続保持具においては、光電子部品のレセプタクルのフランジよりも先端部分を保持部材の第１の切欠きに沿わせ接続部材の第２の切欠きを介して貫通孔の一端に挿入し、光ファイバコネクタをアダプタの貫通孔の他端から挿入し保持手段により係止するという簡単な装着方法により光電子部品のレセプタクルと光ファイバコネクタとの着脱が簡単に行うことができ、光電子部品と光ファイバコネクタとの安定的な接続を確保することができる。
【００２２】
またこの発明に係る光ファイバコネクタと光電子部品との接続構造は、一つの平らな第１の主面、この第１の主面の一部に第１の主面から内部に向かって形成され第１の主面に沿った底面を有し所定の光電子部品のレセプタクルのフランジの厚みを越える深さとフランジの幅を超える溝幅とを有しかつ第１の主面と交差する一つの側面を貫通する溝、及びこの溝の底部を底面において貫通し、側面から開口され溝の延長方向の途中まで溝に沿って延在しフランジを側面から溝の底面に沿わせて所定の位置まで溝の延長方向に挿入可能とするとともにレセプタクルを所定の位置に位置決めする第１の切欠きを有する保持部材と、この保持部材の第１の主面に対向する接続面、この接続面に直交する中心軸を有し所定の光ファイバコネクタの外周面の形状に対応した内周面を有するとともに第１の切欠きに対応して中心軸の位置が定められた貫通孔、この貫通孔の中心軸に沿って接続面から開口されレセプタクルのフランジよりも先端部分を貫通孔の中心軸に交差する方向から貫通孔に挿入可能とする第２の切欠き、および貫通孔に挿入される光ファイバコネクタを着脱自在に係止するとともに光ファイバコネクタと光電子部品とがともに貫通孔に装着された際に光ファイバコネクタ内部に装着されている弾性体により光ファイバコネクタのフェルールの先端面をレセプタクル内に配設される光電子部品側のフェルールの先端面に所定の接触圧により押圧可能にする保持手段を有する接続部材と、この接続保持具の保持部材の第１の切欠きに沿わせ接続部材の第２の切欠きを介して貫通孔の一端にレセプタクルのフランジよりも先端部分が挿入された光電子部品と、接続部材の貫通孔の他端から挿入され保持手段により係止されるとともにフェルールの端面が光電子部品側のフェルールの先端面を所定の接触圧により押圧する光ファイバコネクタと、を備えたものである。
この構成によりこの発明に係る光ファイバコネクタと光電子部品との接続構造においては、光電子部品のレセプタクルのフランジよりも先端部分を保持部材の第１の切欠きに沿わせアダプタの第２の切欠きを介して貫通孔の一端に挿入し、光ファイバコネクタをアダプタの貫通孔の他端から挿入し保持手段により係止するという簡単な装着方法により、光ファイバコネクタと光電子部品とがともに貫通孔に装着された際に、光ファイバコネクタのフェルール端面を光電子部品側のフェルールの先端面に所定の接触圧により安定的に押圧することができる。延いては光電子部品と光ファイバコネクタとのＰＣ接触を安定的に確保することができる。
【産業上の利用可能性】
【００２３】
以上のように、この発明に係る接続保持具ならびにこの接続保持具を用いた光ファイバコネクタと光電子部品との接続構造は、光送受信機に搭載されるレセプタクル型の光電子部品と光ファイバコネクタとを接続する接続保持具ならびにこの接続保持具を用いた光ファイバコネクタと光電子部品との接続構造に有用である。
【図面の簡単な説明】
【００２４】
【図１】この発明の一実施の形態に係る光モジュールと光ファイバコネクタとの接続構造を示す模式図である。
【図２】図１のＩＩ−ＩＩ断面における断面図である。
【図３】この発明の一実施の形態に係るホルダ本体の斜視図である。
【図４】図３のＩＶ―ＩＶ断面におけるホルダ本体の断面を示す模式図である。
【図５】図３の矢視Ｖのホルダ本体の正面を示す模式図である。
【図６】この発明の一実施の形態に係るアダプタの上面を示す模式図である。
【図７】図６に示すアダプタのＶＩＩ―ＶＩＩ断面における模式図である。
【図８】この発明の一実施の形態に係るホルダの断面を示す模式図である。
【符号の説明】
【００２５】
１８ｃ  内表面、    １８ｅ  Ｕ字溝、    １８ｆ  Ｕ字孔、    １８  ホルダ本体、    ２０ａ  取付面、    ２０ｂ  コネクタ挿入孔、    ２０ｃ  レセプタクル挿入孔、    ２０ｄ  保持片、    ２０  アダプタ、    ２２  ねじ構造、    １４  光モジュール    １６  光ファイバコネクタ。
【図１】
2009020236.tif 000003
【図２】
2009020236.tif 000004
【図３】
2009020236.tif 000005
【図４】
2009020236.tif 000006
【図５】
2009020236.tif 000007
【図６】
2009020236.tif 000008
【図７】
2009020236.tif 000009
【図８】
2009020236.tif 000010